(57)【要約】    【構成】携帯電話機１０は、ディスプレイ１４およびそのディスプレイ１４に設けられるタッチパネル１６などを備え、ロック状態を設定することができる。ロック状態が設定さている場合、ディスプレイ１４にはロックオブジェクト（Ｏｂ）を含むロック画面が表示される。メールを受信すると通知テーブルに新着メールの通知情報が記録され、新着メールの通知情報（Ｎ３）が、ロック画面の通知領域７２に表示される。ユーザがロックオブジェクトに対してタッチした後にスライドして、その通知領域７２の中でリリースすると、ロック状態が解除されると共に、上述の新着メールが表示されるようにメール機能が実行される。    【効果】ユーザはタッチ操作により所定機能を容易に実行することができる。【選択図】図１
2015144492.tif 000002
【特許請求の範囲】
【請求項１】
表示部、前記表示部に設けられるタッチパネルおよび前記タッチパネルに対するタッチ操作を検出する検出部を有し、タッチ操作に基づく所定の処理の実行を制限するロック状態が設定できる、携帯端末であって、
所定機能に関する通知情報を記憶する記憶部、
前記ロック状態が設定されているとき、前記ロック状態を解除するためのタッチ操作を受け付けタッチ操作に応じて移動するオブジェクトと、前記通知情報とを前記表示部の表示領域に表示する表示処理部、
前記通知情報を表示する表示領域に前記オブジェクトを移動させてリリースするタッチ操作が検出されたかを判断する判断部、および
前記通知情報を表示する表示領域に前記オブジェクトを移動させてリリースするタッチ操作が検出されたと判断された場合、前記ロック状態を解除すると共に、その通知情報に関する機能を実行する実行部を備える、携帯端末。
【請求項２】
前記通知情報を表示する表示領域に前記オブジェクトが移動されたとき、その通知情報に対応する追加情報を表示する追加情報表示部をさらに備える、請求項１記載の携帯端末。
【請求項３】
前記所定機能は、メッセージの送受信および閲覧を行うメッセージ機能を含み、
前記メッセージ機能に対応する通知情報は、少なくとも、前記メッセージ機能によってメッセージが発信された時刻または発信者名のいずれか一方を含み、
前記メッセージ機能に対応する通知情報の追加情報は、メッセージの本文の少なくとも一部を含み、
前記実行部は、前記メッセージの詳細が前記表示部に表示されるよう、メッセージ機能を実行する、請求項１記載の携帯端末。
【請求項４】
前記メッセージ機能は、メール機能を含み、
前記メール機能に対応する通知情報は、少なくとも、新着メールの受信時刻または発信者名のいずれか一方を含み、
前記メール機能に対応する通知情報の追加情報は、前記新着メールの本文の少なくとも一部を含み、
前記実行部は、前記新着メールが返信可能に表示されるよう、前記メール機能を実行する、請求項３記載の携帯端末。
【請求項５】
前記メッセージ機能は、ショートメッセージサービス機能を含み、
前記ショートメッセージ機能に対応する通知情報は、少なくとも、新着メッセージの着信時刻または発信者名のいずれか一方を含み、
前記ショートメッセージ機能に対応する通知情報の追加情報は、新着メッセージの本文の少なくとも一部を含み、
前記実行部は、前記新着メッセージが返信可能に表示されるよう、前記ショートメッセージ機能を実行する、請求項３または４記載の携帯端末。
【請求項６】
前記メッセージ機能は、ブログ機能を含み、
前記ブログ機能に対応する通知情報は、少なくとも、前記ブログ機能によって投稿した記事に対する新着コメントの投稿時刻または投稿者名のいずれか一方を含み、
前記ブログ機能に対応する通知情報の追加情報は、前記新着コメントの少なくとも一部を含み、
前記実行部は、前記新着コメントが表示されるよう、前記ブログ機能を実行する、請求項３ないし５のいずれかに記載の携帯端末。
【請求項７】
前記所定機能は、電話機能を含み、
前記電話機能に対応する通知情報は、不在着信の着信情報を含み、
前記電話機能に対応する通知情報の追加情報は、不在着信の電話番号を含み、
前記実行部は、前記電話番号に対して発信可能な状態で電話機能を実行する、請求項２ないし６のいずれかに記載の携帯端末。
【請求項８】
表示部、前記表示部に設けられるタッチパネル、前記タッチパネルに対するタッチ操作を検出する検出部および所定機能に関する通知情報を記憶する記憶部を有し、タッチ操作に基づく所定の処理の実行を制限するロック状態が設定できる、携帯端末のプロセッサを、
前記ロック状態が設定されているとき、前記ロック状態を解除するためのタッチ操作を受け付けタッチ操作に応じて移動するオブジェクトと、前記通知情報とを前記表示部の表示領域に表示する表示処理部、
前記通知情報を表示する表示領域に前記オブジェクトを移動させてリリースするタッチ操作が検出されたかを判断する判断部、および
前記通知情報を表示する表示領域に前記オブジェクトを移動させてリリースするタッチ操作が検出されたと判断された場合、前記ロック状態を解除すると共に、その通知情報に関する機能を実行する実行部として機能させる、ロック制御プログラム。
【請求項９】
表示部、前記表示部に設けられるタッチパネル、前記タッチパネルに対するタッチ操作を検出する検出部および所定機能に関する通知情報を記憶する記憶部を有し、タッチ操作に基づく所定の処理の実行を制限するロック状態が設定できる、携帯端末のロック制御方法であって、
前記ロック状態が設定されているとき、前記ロック状態を解除するためのタッチ操作を受け付けタッチ操作に応じて移動するオブジェクトと、前記通知情報とを前記表示部の表示領域に表示し、
前記通知情報を表示する表示領域に前記オブジェクトを移動させてリリースするタッチ操作が検出されたかを判断し、そして
前記通知情報を表示する表示領域に前記オブジェクトを移動させてリリースするタッチ操作が検出されたと判断された場合、前記ロック状態を解除すると共に、その通知情報に関する機能を実行する、ロック制御方法。
【発明の詳細な説明】
【技術分野】
【０００１】
この発明は、携帯端末、携帯端末、ロック制御プログラムおよびロック制御方法に関し、特にロック状態を設定することができる、携帯端末、ロック制御プログラムおよびロック制御方法に関する。
【背景技術】
【０００２】
ロック状態を設定することができる携帯端末の一例が特許文献１に開示されている。特許文献１の携帯端末装置では、ダブルタップする操作などのジェスチャが動作場面ごとに登録される。そして、タッチパネルの動作が停止しているときに、タッチパネルに対して、動作場面に応じたジェスチャが行われると、タッチパネルが停止状態から正常動作に復帰する。
【特許文献１】特開平11-203045号公報［G06F 3/033, G06F 3/00, H04Q 7/38, H04M 1/02, H04M 1/23］
【発明の概要】
【発明が解決しようとする課題】
【０００３】
特許文献１の携帯端末装置では、ユーザは、複数の動作場面を登録する場合、複数の動作場面と、それらに対応するジェスチャとを全て記憶しなければならない。そして、ユーザがタッチパネルを停止状態から正常動作に復帰させるときに、ジェスチャと動作場面との対応関係を忘れてしまうと、ユーザは携帯端末装置を思った通りに操作できなくなってしまう。
【０００４】
それゆえに、この発明の主たる目的は、新規な、携帯端末、ロック制御プログラムおよびロック制御方法を提供することである。
【０００５】
この発明の他の目的は、ユーザがタッチ操作により所定機能を容易に実行することができる、携帯端末、ロック制御プログラムおよびロック制御方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、表示部、表示部に設けられるタッチパネルおよびタッチパネルに対するタッチ操作を検出する検出部を有し、タッチ操作に基づく所定の処理の実行を制限するロック状態が設定できる、携帯端末であって、所定機能に関する通知情報を記憶する記憶部、ロック状態が設定されているとき、ロック状態を解除するためのタッチ操作を受け付けタッチ操作に応じて移動するオブジェクトと、通知情報とを表示部の表示領域に表示する表示処理部、通知情報を表示する表示領域にオブジェクトを移動させてリリースするタッチ操作が検出されたかを判断する判断部、および通知情報を表示する表示領域にオブジェクトを移動させてリリースするタッチ操作が検出されたと判断された場合、ロック状態を解除すると共に、その通知情報に関する機能を実行する実行部を備える、携帯端末である。
【０００８】
第１の発明では、携帯端末（１０：実施例において対応する部分を例示する参照符号。以下、同じ。）は、表示部（１４）に設けられたタッチパネル（１６）およびタッチ操作を検出する検出部（４８）を有する。また、ロック状態が設定されると、表示部にはロッ
ク状態を解除するためのタッチ操作を受け付けタッチ操作に応じて移動するオブジェクト（Ｏｂ）が表示され、タッチ操作に基づく所定の処理が実行されないようになる。記憶部（４６）は、たとえばメール機能によって受信した新着メールを通知するための通知情報を記憶する。表示処理部（３０，Ｓ５）は、たとえばロック状態が設定されているときに表示部の電源がオンにされると、上述したメール機能の通知情報（Ｎ，Ｔａ）を表示する。判断部（３０，Ｓ２９）は、オブジェクトの表示にタッチされた後に、通知情報を表示する表示領域にそのオブジェクトを移動させてリリースするタッチ操作が検出されたかを判断する。そして、実行部（３０，Ｓ３１，Ｓ３３）は、このようなタッチ操作が行われると、ロック状態を解除すると共に、リリースされた表示領域に表示されている通知情報に関連する機能を実行する。
【０００９】
第１の発明によれば、ユーザは、ロック画面に表示される通知情報を確認したときに、必要であればロック状態を解除すると共に、その通知情報に対応する機能を実行することができる。
【００１０】
第２の発明は、第１の発明に従属し、通知情報を表示する表示領域にオブジェクトが移動されたとき、その通知情報に対応する追加情報を表示する追加情報表示部をさらに備える。
【００１１】
第２の発明では、追加情報表示部（３０，Ｓ２５）は、たとえば通知情報が新着メールを通知している場合、追加情報として新着メールの本文の少なくとも一部が表示される。
【００１２】
第２の発明によれば、ユーザは、追加情報によって対応する通知情報の詳細を確認してから、ロック状態を解除すると共に、その通知情報に対応する機能を実行させるかを判断することができる。
【００１３】
第３の発明は、第２の発明に従属し、所定機能は、メッセージの送受信および閲覧を行うメッセージ機能を含み、メッセージ機能に対応する通知情報は、少なくとも、メッセージ機能によってメッセージが発信された時刻または発信者名のいずれか一方を含み、メッセージ機能に対応する通知情報の追加情報は、メッセージの本文の少なくとも一部を含み、実行部は、メッセージの詳細が表示部に表示されるよう、メッセージ機能を実行する。
【００１４】
第３の発明では、メッセージ機能は、メールや、投稿用の記事などのメッセージを送受信したり、閲覧したりするための機能である。たとえば、メッセージが受信されると、そのときの時刻などがメッセージ機能に対応する通知情報として記憶される。また、受信されたメッセージの一部が、通知情報の追加情報として記憶される。そして、実行部は、受信されたメッセージの詳細が表示されるよう、メッセージ機能を実行する。
【００１５】
第４の発明は、第３の発明に従属し、メッセージ機能は、メール機能を含み、メール機能に対応する通知情報は、少なくとも、新着メールの受信時刻または発信者名のいずれか一方を含み、メール機能に対応する通知情報の追加情報は、新着メールの本文の少なくとも一部を含み、実行部は、新着メールが返信可能に表示されるよう、メール機能を実行する。
【００１６】
第５の発明は、第３の発明または第４の発明に従属し、メッセージ機能は、ショートメッセージサービス機能を含み、ショートメッセージ機能に対応する通知情報は、少なくとも、新着メッセージの着信時刻または発信者名のいずれか一方を含み、ショートメッセージ機能に対応する通知情報の追加情報は、新着メッセージの本文の少なくとも一部を含み、実行部は、新着メッセージが返信可能に表示されるよう、ショートメッセージ機能を実行する。
【００１７】
第３の発明、第４の発明および第５の発明によれば、メール機能やショートメッセージ機能によってメッセージを受信すれば、ロック状態を解除することなく、返信することができる。
【００１８】
第６の発明は、第３の発明ないし第５の発明のいずれに従属し、メッセージ機能は、ブログ機能を含み、ブログ機能に対応する通知情報は、少なくとも、ブログ機能によって投稿した記事に対する新着コメントの投稿時刻または投稿者名のいずれか一方を含み、ブログ機能に対応する通知情報の追加情報は、新着コメントの少なくとも一部を含み、実行部は、新着コメントが表示されるよう、ブログ機能を実行する。
【００１９】
第６の発明によれば、ブログ機能を利用したコミュニケーションの利便性を向上させることができる。
【００２０】
第７の発明は、第２の発明ないし第６の発明のいずれかに従属し、所定機能は、電話機能を含み、電話機能に対応する通知情報は、不在着信の着信情報を含み、電話機能に対応する通知情報の追加情報は、不在着信の電話番号を含み、実行部は、電話番号に対して発信可能な状態で電話機能を実行する。
【００２１】
第７の発明によれば、ロック状態を解除する操作を省いて、不在着信に応答することができるようになる。
【００２２】
第８の発明は、表示部（１４）、表示部に設けられるタッチパネル（１６）、タッチパネルに対するタッチ操作を検出する検出部（４８）および所定機能に関する通知情報を記憶する記憶部（４６）を有し、タッチ操作に基づく所定の処理の実行を制限するロック状態が設定できる、携帯端末（１０）のプロセッサ（３０）を、ロック状態が設定されているとき、ロック状態を解除するためのタッチ操作を受け付けタッチ操作に応じて移動するオブジェクト（Ｏｂ）と、通知情報（Ｎ，Ｔａ）とを表示部の表示領域に表示する表示処理部（Ｓ５）、通知情報を表示する表示領域にオブジェクトを移動させてリリースするタッチ操作が検出されたかを判断する判断部（Ｓ２９）、および通知情報を表示する表示領域にオブジェクトを移動させてリリースするタッチ操作が検出されたと判断された場合、ロック状態を解除すると共に、その通知情報に関する機能を実行する実行部（Ｓ３１，Ｓ３３）として機能させる、ロック制御プログラムである。
【００２３】
第８の発明でも、第１の発明と同様、ユーザは、ロック画面に表示される通知情報を確認したときに、必要であればロック状態を解除すると共に、その通知情報に対応する機能を実行することができる。
【００２４】
第９の発明は、表示部（１４）、表示部に設けられるタッチパネル（１６）、タッチパネルに対するタッチ操作を検出する検出部（４８）および所定機能に関する通知情報を記憶する記憶部（４６）を有し、タッチ操作に基づく所定の処理の実行を制限するロック状態が設定できる、携帯端末（１０）のロック制御方法であって、ロック状態が設定されているとき、ロック状態を解除するためのタッチ操作を受け付けタッチ操作に応じて移動するオブジェクト（Ｏｂ）と、通知情報（Ｎ，Ｔａ）とを表示部の表示領域に表示し（Ｓ５）、通知情報を表示する表示領域にオブジェクトを移動させてリリースするタッチ操作が検出されたかを判断し（Ｓ２９）、そして通知情報を表示する表示領域にオブジェクトを移動させてリリースするタッチ操作が検出されたと判断された場合、ロック状態を解除すると共に、その通知情報に関する機能を実行する（Ｓ３１，Ｓ３３）、ロック制御方法である。
【００２５】
第９の発明でも、第１の発明と同様、ユーザは、ロック画面に表示される通知情報を確認したときに、必要であればロック状態を解除すると共に、その通知情報に対応する機能を実行することができる。
【発明の効果】
【００２６】
この発明によれば、ユーザは、タッチ操作により所定機能を容易に実行することができる。
【００２７】
この発明の上述の目的、その他の目的、特徴および利点は、図面を参照して行う以下の実施例の詳細な説明から一層明らかとなろう。
【図面の簡単な説明】
【００２８】
【図１】図１はこの発明の一実施例の携帯電話機を示す外観図である。
【図２】図２は図１に示す携帯電話機の電気的な構成を示す図解図である。
【図３】図３は図１に示すディスプレイに表示されるロック画面の一例を示す図解図である。
【図４】図４は図１に示す携帯電話機に設定されているロック状態を解除するときの操作の一例を示す図解図であり、図４（Ａ）は図３に示すロックオブジェクトに対して行われるタッチ操作の方向を示しており、図４（Ｂ）はロックオブジェクトが画面の外へ移動した状態の表示例であり、図４（Ｃ）は待機画面の表示例を示す。
【図５】図５は図２に示すＲＡＭに記憶される通知テーブルデータの構成の一例を示す図解図である。
【図６】図６は図１に示すディスプレイに表示される、通知情報を含むロック画面の一例を示す図解図である。
【図７】図７は図１に示すディスプレイに表示される、複数の通知情報を含むロック画面の一例を示す図解図である。
【図８】図８は図７に示す複数の通知情報を変更する操作の一例を示す図解図であり、図８（Ａ）は図７に示すスクロールバーに対して行われるタッチ操作を示しており、図８（Ｂ）は他の通知情報の表示例を示す。
【図９】図９は図８（Ｂ）に示す通知情報において追加情報を表示する操作の一例を示す図解図であり、図９（Ａ）は図８（Ｂ）に示すロックオブジェクトに対するタッチ操作を示しており、図９（Ｂ）は図８（Ｂ）に示す通知情報の表示に対するタッチ操作を示す。
【図１０】図１０は図８（Ｂ）に示す通知情報に対応する機能が実行されるときの画面遷移の一例を示す図解図であり、図１０（Ａ）は図９（Ｂ）に示す状態からリリースされた状態を示し、図１０（Ｂ）はメール機能のＧＵＩの表示例を示す。
【図１１】図１１は図２に示すＲＡＭのメモリマップの一例を示す図解図である。
【図１２】図１２は図２に示すプロセッサのロック制御処理の一部の一例を示すフロー図である。
【図１３】図１３は図２に示すプロセッサのロック制御処理の他の一部の一例であって、図１２に後続するフロー図である。
【図１４】図１４は図１に示すディスプレイに表示される、通知情報を含むロック画面の他の一例およびその通知情報に対応する機能が実行されたときの表示例を示す図解図であり、図１４（Ａ）は第１ブログ機能の通知情報を含むロック画面の表示例を示し、図１４（Ｂ）は図１４（Ａ）に示す通知情報の追加情報を示す表示例であり、図１４（Ｃ）は第１ブログ機能のＧＵＩの表示例を示す。
【図１５】図１５は図１に示すディスプレイに表示される、通知情報を含むロック画面のその他の一例およびその通知情報に対応する機能が実行されたときの表示例を示す図解図であり、図１５（Ａ）は第２ブログ機能の通知情報を含むロック画面の表示例を示し、図１５（Ｂ）は図１５（Ａ）に示す通知情報の追加情報を示す表示例であり、図１５（Ｃ）は第２ブログ機能のＧＵＩの表示例を示す。
【図１６】図１６は図１に示すディスプレイに表示される通知情報をシークレット表示に切り替える操作の一例を示す図解図であり、図１６（Ａ）は図８（Ｂ）に示す通知領域に対して行われるタッチ操作の方向と距離を示し、図１６（Ｂ）は図１６（Ａ）に示す方向と距離でタッチ操作が行われた状態を示し、図１６（Ｃ）は図１６（Ａ）に示す通知情報がシークレット表示に切り替えられた状態を示す。
【図１７】図１７は図２に示すプロセッサの第２実施例のロック制御処理の一部の一例を示すフロー図である。
【図１８】図１８は図１に示すディスプレイに表示される通知情報をカテゴリ別に表示する操作の一例を示す図解図であり、図１８（Ａ）はカテゴリアイコンが表示されるロック画面の一例を示し、図１８（Ｂ）は図１８（Ａ）に示すカテゴリアイコンに対してタッチ操作が行われている状態を示し、図１８（Ｃ）はカテゴリ別に分類された複数の通知情報の表示例を示す。
【図１９】図１９は図２に示すプロセッサの第３実施例のロック制御処理の一部の一例を示すフロー図である。
【図２０】図２０は図１に示すディスプレイに表示される、通知情報を含むロック画面のさらにその他の一例およびその通知情報に対応する機能が実行されたときの表示例を示す図解図であり、図２０（Ａ）はタスクアイコンを含むロック画面の一例を示し、図２０（Ｂ）は図２０（Ａ）に示すタスクアイコンに対してタッチ操作が行われている状態を示し、図２０（Ｃ）はメール機能のＧＵＩの他の表示例を示す。
【図２１】図２１は図１に示すディスプレイに表示されるセキュリティ画面の一例を示す図解図である。
【図２２】図２２は図２に示すプロセッサの他の実施例のロック制御処理の一部の一例を示すフロー図である。
【発明を実施するための形態】
【００２９】
＜第１実施例＞
図１を参照して、この発明の一実施例の携帯電話機１０は、一例としてスマートフォン（smart phone）であり、縦長の扁平矩形のハウジング１２を含む。ただし、この発明は
、タブレット端末、ＰＤＡなど任意の携帯端末に適用可能であることを予め指摘しておく。
【００３０】
ハウジング１２の一方主面（表面）には、表示部として機能する、たとえば液晶や有機ＥＬなどのディスプレイ１４が設けられる。ディスプレイ１４の上には、タッチパネル１６が設けられる。したがって、この実施例の携帯電話機１０では、後述のハードキーの操作によるものを除く大部分の入力操作は、このタッチパネル１６を介して行われる。
【００３１】
ハウジング１２の縦方向一端の表面側にスピーカ１８が内蔵され、縦方向他端の表面側にマイク２０が内蔵される。
【００３２】
タッチパネル１６と共に、入力操作手段を構成するハードキーとして、この実施例では、通話キー２２、終話キー２４およびメニューキー２６が設けられる。
【００３３】
たとえば、ユーザは、ディスプレイ１４に表示されたダイヤルキーに対して、タッチパネル１６によってタッチ操作を行うことで電話番号を入力でき、通話キー２２を操作して音声通話を開始することができる。終話キー２４を操作すれば、音声通話を終了することができる。なお、この終話キー２４を長押しすることによって、携帯電話機１０の電源をオン／オフすることができる。
【００３４】
また、メニューキー２６を操作すれば、ディスプレイ１４にメニュー画面が表示され、
その状態でディスプレイ１４に表示されているソフトキーやメニューアイコンなどに対して、タッチパネル１６によるタッチ操作を行うことによってメニューを選択し、その選択を確定させることができる。
【００３５】
図２を参照して、図１に示す実施例の携帯電話機１０は、コンピュータまたはＣＰＵと呼ばれるプロセッサ３０などを含む。プロセッサ３０には、無線通信回路３２、Ａ／Ｄ変換器３６、Ｄ／Ａ変換器３８、入力装置４０、表示ドライバ４２、フラッシュメモリ４４、ＲＡＭ４６およびタッチパネル制御回路４８などが接続される。
【００３６】
プロセッサ３０は、携帯電話機１０の全体制御を司る。記憶部として機能するＲＡＭ４６には、フラッシュメモリ４４に予め設定されているプログラムの全部または一部が使用に際して展開され、プロセッサ３０はこのＲＡＭ４６上のプログラムに従って動作する。なお、ＲＡＭ４６はさらに、プロセッサ３０のワーキング領域ないしバッファ領域として用いられる。
【００３７】
入力装置４０は、図１に示すタッチパネル１６、ハードキー２２、２４および２６を含むものであり、操作部または入力部を構成する。ユーザが操作したハードキーの情報（キーデータ）はプロセッサ３０に入力される。
【００３８】
無線通信回路３２は、アンテナ３４を通して、音声通話やメールなどのための電波を送受信するための回路である。実施例では、無線通信回路３２は、ＣＤＭＡ方式での無線通信を行うための回路である。たとえば、ユーザが入力装置４０を操作して電話発信（発呼）を指示すると、無線通信回路３２は、プロセッサ３０の指の下、電話発信処理を実行し、アンテナ３４を介して電話発信信号を出力する。電話発信信号は、基地局および通信網を経て相手の電話機に送信される。そして、相手の電話機において着信処理が行われると、通信可能状態が確立され、プロセッサ３０は通話処理を実行する。
【００３９】
通常の通話処理について具体的に説明すると、相手の電話機から送られてきた変調音声信号はアンテナ３４によって受信される。受信された変調音声信号には、無線通信回路３２によって復調処理および復号処理が施される。そして、これらの処理によって得られた受話音声信号は、Ｄ／Ａ変換器３８によって音声信号に変換された後、スピーカ１８から出力される。一方、マイク２０を通して取り込まれた送話音声信号は、Ａ／Ｄ変換器３６によって音声データに変換された後、プロセッサ３０に与えられる。音声データには、プロセッサ３０の指示の下、無線通信回路３２によって符号化処理および変調処理が施され、アンテナ３４を介して出力される。したがって、変調音声信号は、基地局および通信網を介して相手の電話機に送信される。
【００４０】
また、相手の電話機からの電話発信信号がアンテナ３４によって受信されると、無線通信回路３２は、電話着信（着呼）をプロセッサ３０に通知する。これに応じて、プロセッサ３０は、表示ドライバ４２を制御して、着信通知に記述された発信元情報（電話番号など）をディスプレイ１４に表示する。また、これらの処理に伴い、プロセッサ３０は、スピーカ１８から着信音（着信メロディ、着信音声と言うこともある。）を出力させる。
【００４１】
そして、ユーザが入力装置４０に含まれる通話キー２２（図１）を用いて応答操作を行うと、無線通信回路３２は、プロセッサ３０の指示の下、通話状態確立処理を実行する。さらに、通信可能状態が確立され、プロセッサ３０は上述した通常の通話処理を実行する。
【００４２】
また、通話可能状態に移行した後に入力装置４０に含まれる終話キー２４（図１）によって通話終了操作が行われると、プロセッサ３０は、無線通信回路３２を制御して、通話
相手に通話終了信号を送信する。そして、通話終了信号の送信後、プロセッサ３０は通話処理を終了する。また、先に通話相手から通話終了信号を受信した場合も、プロセッサ３０は通話処理を終了する。さらに、通話相手によらず、移動通信網から通話終了信号を受信した場合も、プロセッサ３０は通話処理を終了する。
【００４３】
Ａ／Ｄ変換器３６には図１に示すマイク２０が接続され、上述のようにマイク２０からの音声信号はこのＡ／Ｄ変換器３６を通してディジタルの音声データとしてプロセッサ３０に入力される。Ｄ／Ａ変換器３８にはスピーカ１８が接続される。Ｄ／Ａ変換器３８は、ディジタルの音声データを音声信号に変換して、アンプを介してスピーカ１８に与える。したがって、音声データの音声がスピーカ１８から出力される。
【００４４】
なお、プロセッサ３０は、たとえばユーザによるボリュームの操作に応答して、Ｄ／Ａ変換器３８に接続されるアンプの増幅率を制御することによって、スピーカ１８から出力される音声の音量を調整することができる。
【００４５】
表示ドライバ４２には図１に示すディスプレイ１４が接続され、したがって、ディスプレイ１４はプロセッサ３０から出力される映像または画像データに従って映像または画像を表示する。つまり、表示ドライバ４２は、プロセッサ３０の指示の下、当該表示ドライバ４２に接続されたディスプレイ１４の表示を制御する。また、表示ドライバ４２は表示する画像データを一時的に記憶するビデオメモリを含む。ディスプレイ１４には、たとえばＬＥＤなどを光源とするバックライトが設けられており、表示ドライバ４２はプロセッサ３０の指示に従って、そのバックライトの明るさや、点灯／消灯を制御する。
【００４６】
タッチパネル制御回路４８には、図１に示すタッチパネル１６が接続される。タッチパネル制御回路４８は、タッチパネル１６に必要な電圧などを付与するとともに、タッチパネル１６に対するユーザによるタッチの開始を示すタッチ開始信号、ユーザによるタッチの終了を示す終了信号、およびユーザがタッチしたタッチ位置を示す座標データをプロセッサ３０に入力する。したがって、プロセッサ３０はこの座標データに基づいて、そのときユーザがどのアイコンやキーにタッチしたかを判断することができる。
【００４７】
実施例では、タッチパネル１６は、指などの物体が表面に接近して生じた電極間の静電容量の変化を検出する静電容量方式で、たとえば１本または複数本の指がタッチパネル１６に触れたことを検出する。また、タッチパネル１６は、ディスプレイ１４の上に設けられ、その画面内で、任意の位置を指示するためのポインティングデバイスである。タッチパネル制御回路４８は検出部として機能し、タッチパネル１６のタッチ有効範囲内でのタッチ操作を検出して、そのタッチ操作の位置を示す座標データをプロセッサ３０に出力する。つまり、ユーザは、タッチパネル１６の表面をタッチ、スライドおよびリリースすることによって、操作位置や、操作方向などを携帯電話機１０に入力する。
【００４８】
なお、タッチパネル１６の検出方式には、表面型の静電容量方式が採用されてもよいし、抵抗膜方式、超音波方式、赤外線方式および電磁誘導方式などであってもよい。また、タッチ操作はユーザの指だけに限らず、スタイラスペンなどによって行われてもよい。
【００４９】
また、詳細な説明は省略するが、携帯電話機１０は、電話機能には、着信したまま一定時間が経過した場合、自動応答を行い、相手のメッセージを録音する留守番電話機能が含まれる。さらに、携帯電話機１０は、ネットワークと通信することで、メール機能を実行することができる。
【００５０】
なお、上で説明した無線通信回路３２、Ａ／Ｄ変換機３４およびＤ／Ａ変換機３６はプロセッサ３０に含まれていてもよい。
【００５１】
携帯電話機１０は、上述した各機能などがタッチ操作によって実行されないようにするロック機能を有している。たとえば、終話キー２４が操作されると、ディスプレイ１４およびタッチパネル１６の電源がオフにされると共にロック状態が設定される。そして、終話キー２４が操作されると、ディスプレイ１４およびタッチパネル１６の電源がオンとなり、図３に示すロック画面が表示され、ロック状態の解除操作が受け付けられるようになる。
【００５２】
なお、本実施例のロック状態では、ロック画面が表示されるまでは、ディスプレイ１４およびタッチパネル１６の電源がオフにされているため、携帯電話機１０の消費電力が抑えられる。ただし、他の実施例では、タッチパネル１６の電源をオフにすることなく、プロセッサ３０が入力されたタッチ操作を無視するように処理することで、タッチ操作を無効にしてもよい。
【００５３】
図３を参照して、ロック画面を表示するディスプレイ１４の表示範囲は、状態表示領域６０および機能表示領域６２を含む。状態表示領域６０には、アンテナ３４による電波受信状態を示すアイコン（ピクト）、二次電池の残電池容量を示すアイコンおよび日時が表示される。また、機能表示領域６２には、現在日時７０が表示されると共に、ロックオブジェクトＯｂが下側中央に表示される。そして、ロックオブジェクトＯｂの表示位置は、ユーザの指の位置、つまり現在のタッチ位置に合わせて変化する。
【００５４】
ここで、ロックオブジェクトＯｂに対して所定のタッチ操作が行われると、ロック状態が解除される。
【００５５】
たとえば、図４（Ａ）を参照して、ロックオブジェクトＯｂの移動距離が所定距離以上となるように指がスライドされ、リリースされると、図４（Ｂ）に示すように、ロックオブジェクトＯｂの表示が消える。そして、ロックオブジェクトＯｂの表示が消えると、ディスプレイ１４の状態表示領域６２には、図４（Ｃ）に示す待機画面が表示される。また、ロックオブジェクトＯに対して所定速度以上で指を弾くタッチ操作（フリック）が行われた場合も、ロック状態は解除される。このように、本実施例では、ユーザが片手でロックオブジェクトＯｂを操作できるようにするために、ロックオブジェクトＯｂが画面の下側中央に表示される。したがって、ユーザはロック状態の解除操作を片手で容易に行うことができる。また、ロックオブジェクトＯｂに対するロック状態を解除するためのタッチ操作の方向が限定されないため、左右の手のどちらでも、ロック状態の解除操作を容易に行うことができる。
【００５６】
なお、ロックオブジェクトＯｂの移動距離が所定距離未満であったり、フリックの速度が遅かったりすると、ロック状態は解除されず、ロックアイコンＯｂは元の場所に戻る。
【００５７】
図５は、通知テーブルの構成の一例を示す図解図である。通知テーブルとは、ユーザに通知するための通知情報が記録されるテーブルである。通知情報は、不在着信が発生したとき、留守番電話機能によって音声が録音されたとき、またはメール機能によって新着メールを受信したとき、通知情報が発生した時刻とその内容とが通知テーブルに記録される。
【００５８】
図５を参照して、通知テーブルには、通知情報が発生した時刻を記録する「時刻の列」、通知情報と対応する機能を記録する「機能の列」、通知情報の内容を記録する「内容の列」および通知情報の追加情報が記録される「追加情報の列」が含まれる。そして、追加テーブルの各行が１つの通知情報に対応する。
【００５９】
たとえば、１３時２０分(13:20)および１４時３８分(14:38)に発生した通知情報は、「Ｍｓ．＋＋＋」からの着信に対して未応答（不在着信）であることを示し、追加情報として「Ｍｓ．＋＋＋」の電話番号が記録される。また、１５時１０分(15:10)に発生した通
知情報は、差出人が「Ｍｒ．＊＊＊」からのメール（件名「Ｈｅｌｌｏｗ」）を受信したことを示し、追加情報として、そのメールの本文の一部（「Ｗｈａｔ  ｗｏｕｌｄ…」）が記録される。
【００６０】
なお、留守番電話機能によって相手の音声が録音された場合、録音時刻などが通知情報として通知テーブルに記録されると共に、追加情報として相手の電話番号が記録される。
【００６１】
ここで、ロック状態が設定されている場合、通知テーブルに記録された通知情報はロック画面に表示される。図６を参照して、機能表示領域６２には通知情報を表示する通知領域７２が設けられる。そして、通知テーブルに１つの通知情報が記録されている場合、その通知領域７２には、上記の通知情報に対応する通知情報Ｎ１が表示される。また、図７を参照して、通知テーブルに少なくとも３つ以上の通知情報が記録されている場合、通知領域７２には、記録された順番が古い２つの通知情報Ｎ１，Ｎ２と、スクロールバーＢを含むスクロール領域ＳＣとが表示される。そして、各通知情報Ｎには、通知情報に対応するアイコンと、通知情報が発生した時刻と、通知情報の内容とが含まれる。なお、追加情報については、この時点では表示されない。
【００６２】
また、図７に示すように、本実施例では、通知領域７２に表示可能な通知情報の最大数は２つである。そのため、通知領域７２に表示されているスクロール領域ＳＣは、現時点で表示されていない通知情報Ｎ３が存在していることを示す。
【００６３】
図８（Ａ），（Ｂ）を参照して、スクロールバーＢを下方向に移動させるタッチ操作がされると、通知領域７２に表示される通知情報Ｎが更新される。ここでは、通知情報Ｎ１が表示されなくなり、代わりに通知情報Ｎ３が表示される。また、通知情報Ｎ２の表示位置は通知情報Ｎ１が表示されていた位置に変化する。このように、ロック状態であっても、通知情報の表示を更新するタッチ操作（スクロール操作）は受け付けられる。そのため、ユーザは、複数の通知情報Ｎが記録されていたとしても、ロック状態を解除することなく各通知情報Ｎを確認することができる。
【００６４】
なお、他の実施例では、通知領域７２の中で上下方向に移動させるタッチ操作が行われた場合、スクロールバーＢが操作された場合と同じように、通知領域７２に表示される通知情報Ｎが更新される。
【００６５】
また、他の実施例のメール機能の通知情報Ｎには、受信時刻または発信者名のいずれか一方だけが含まれていてもよい。
【００６６】
図９（Ａ），（Ｂ）を参照して、ロックオブジェクトＯｂをタッチしたまま、通知領域７２内の任意の通知情報Ｎの表示領域内に指が移動され、所定時間（たとえば３秒）が経過すると、追加情報が表示される。たとえば、新着メールに対応する通知情報Ｎ３にタッチ位置が移動すると、通知テーブルに記録されている追加情報（新着メールの本文の一部）が読み出され、通知情報Ｎ３に代えて、通知領域７２に内に表示される。また、追加情報が表示されると、枠やアイコンなどの線が太くなる。このように、ユーザは、ロック状態を解除することなく、通知情報Ｎの詳細な内容を確認することができる。なお、追加情報が表示される場合、文字やＧＵＩなどが拡大表示されてもよい。
【００６７】
また、図９（Ｂ）において、通知領域７２の中でロックオブジェクトＯｂの移動先が、通知情報Ｎ３の表示領域内であれば追加情報の表示は変化しないが、通知情報Ｎ２の表示
領域内であれば、通知情報Ｎ２の追加情報が表示されるようになる。また、ロックオブジェクトＯｂが通知領域７２の外に出ると、追加情報の表示が消え、元の通知情報Ｎが表示される。
【００６８】
ここで、本実施例では、通知情報Ｎの表示領域内にロックオブジェクトＯｂを移動させた状態で指をリリースすると、ロック状態が解除されると共に、その通知情報Ｎに対応する機能が実行される。
【００６９】
図１０（Ａ），（Ｂ）を参照して、通知情報Ｎ３は新着メールを通知するものであり、この通知情報Ｎ３が表示されている通知領域７２内で指がリリースされると、通知情報Ｎ３に対応する新着メールがディスプレイ１４に表示される。そして、ディスプレイ１４の機能表示領域６２には、受信メールの詳細が表示されると共に、新着メール（受信メール）に対して返信するための返信キー７４が左下に表示される。つまり、ユーザは、必要であれば、表示されている受信メールに対して、返信することができる。
【００７０】
このように、ユーザは、ロック画面に表示される通知情報Ｎを確認したときに、必要であればロック状態を解除すると共に、その通知情報Ｎに対応する機能を実行することができる。特に、ユーザは、追加情報によって対応する通知情報Ｎの詳細を確認してから、ロック状態を解除すると共に、その通知情報Ｎに対応する機能を実行させるかを判断することができる。
【００７１】
また、ロックオブジェクトＯｂにタッチされた後に、不在着信の通知情報Ｎ２の表示内にタッチ位置が含まれる場合、相手の電話番号が追加情報として表示される。そして、リリースされると、追加情報の電話番号に対して発呼できるよう、電話機能が実行される。つまり、ユーザは、ロック状態を解除する操作を省いて、不在着信に応答することができるようになる。
【００７２】
さらに、留守番電話機能による通知情報Ｎがディスプレイ１４に表示されている場合、その通知情報Ｎの表示には、音声が録音された時刻と相手の名前などが含まれる。そして、ロックオブジェクトＯｂにタッチされた後に、留守番電話の通知情報Ｎの表示内にタッチ位置が含まれる場合、相手の電話番号が追加情報として表示され、リリースされると録音された音声が再生可能な状態で留守番電話機能が実行される。つまり、ロック状態を解除する操作を省いて、録音された音声を確認できるようになる。
【００７３】
以上で実施例の特徴を概説したが、以下には、図１１に示すメモリマップおよび図１２，１３に示すフロー図を用いて詳細に説明する。
【００７４】
図１１を参照して、図２に示すＲＡＭ４６には、プログラム記憶領域３０２とデータ記憶領域３０４とが形成される。プログラム記憶領域３０２は、先に説明したように、フラッシュメモリ４４（図２）に予め設定しているプログラムデータの一部または全部を読み出して記憶（展開）しておくための領域である。
【００７５】
プログラム記憶領域３０２には、ロック状態を解除したり、ロック状態の解除と共に機能を実行したりするためのロック制御プログラム３１０などが含まれる。なお、プログラム記憶領域３０２には、電話機能、留守番電話機能およびメール機能などを実行するためのプログラムも含まれる。
【００７６】
続いて、ＲＡＭ４６のデータ記憶領域３０４には、タッチバッファ３３０が設けられると共に、タッチ座標マップデータ３３２、ＧＵＩデータ３３４、ＧＵＩ座標データ３３６、通知テーブルデータ３３８が記憶される。また、データ記憶領域３０４には、タッチフ
ラグ３４０、ロックフラグ３４２および操作カウンタ３４４も設けられる。
【００７７】
タッチバッファ３３０には、タッチパネル制御回路４８が出力するタッチ座標のデータが記憶される。タッチ座標マップデータ３３２は、タッチ操作におけるタッチ座標と、ディスプレイ１４の表示座標とを対応付けるためのデータである。つまり、タッチ座標マップデータ３３２に基づいて、タッチパネル１６に対して行われたタッチ操作の結果が、ディスプレイ１４の表示に反映される。
【００７８】
ＧＵＩデータ３３４は、ロックオブジェクトＯｂ、スクロールバーＢ、通知情報Ｎを表示するための画像や文字列などのＧＵＩを表示するためのデータである。ＧＵＩ座標データ３３６は、上述のＧＵＩが表示されている座標位置を示すデータである。通知テーブルデータ３３８は、図５に示すように、通知情報に対して、その通知情報に対応する機能などが関連付けて記憶されているデータである。
【００７９】
タッチフラグ３４０は、タッチパネル１６に対してタッチされているか否かを判断するためのフラグである。たとえば、タッチフラグ３４０は、１ビットのレジスタで構成される。タッチフラグ３４０がオン（成立）されると、レジスタにはデータ値「１」が設定される。一方、タッチフラグ３４０がオフ（不成立）されると、レジスタにはデータ値「０」が設定される。なお、タッチフラグ３４０は、タッチパネル制御回路４８が出力する信号に基づいてオン／オフが切り換えられる。
【００８０】
また、ロックフラグ３４２は、ロック状態が設定されているか否かを示すためのフラグである。たとえば、ロックフラグ３４２は、ディスプレイ１４およびタッチパネル１６の電源をオフにする処理に応じてオンにされる。また、ロックフラグ３４２は、上述したロック制御プログラム３１０の処理に応じてオフにされる。そして、ロックフラグ３４２の構成は、タッチフラグ３４０と略同じであるため、構成についての詳細な説明は省略する。
【００８１】
操作カウンタ３４４は、タッチ操作の時間を計測するためのカウンタである。また、操作カウンタ３４４は、タッチされた状態でタッチ位置が通知領域７２の中に入ると、カウント（計測）を開始する。そのため、操作カウンタ３４４は、操作タイマと呼ばれることもある。
【００８２】
なお、データ記憶領域３０４には、待機状態で表示される画像データや、文字列のデータなどが記憶されると共に、携帯電話機１０の動作に必要なカウンタや、フラグも設けられる。
【００８３】
プロセッサ３０は、Ａｎｄｒｏｉｄ（登録商標）およびＲＥＸなどのＬｉｎｕｘ（登録商標）ベースのＯＳや、その他のＯＳの制御下で、図１２，図１３に示すロック制御処理などを含む複数のタスクを並列的に処理する。
【００８４】
ロック制御処理は、ロック状態が設定された状態（ロックフラグ３４０がオン）で、ディスプレイ１４の電源がオンにされたときに、開始される。
【００８５】
ステップＳ１では、プロセッサ３０は、ＲＴＣから日時情報を取得すると共に、ＧＵＩデータ３３４に含まれるロックオブジェクトＯｂの画像データを読み出して、ディスプレイ１４の機能表示領域６２に対して、図３に示すようなロック画面を表示する。
【００８６】
続いて、ステップＳ３でプロセッサ３０は、通知情報があるか否かを判断する。つまり、通知テーブルデータ３３８に通知情報が記録されているかが判断される。ステップＳ３
で“ＮＯ”であれば、つまり通知情報が通知テーブルデータ３３８に記録されていなければ、ステップＳ１１に進む。一方、ステップＳ３で“ＹＥＳ”であれば、たとえば図５に示すように、通知テーブルに通知情報が記録されていれば、プロセッサ３０はステップＳ５で、通知情報を表示する。なお、ステップＳ５の処理を実行するプロセッサ３０は表示処理部として機能する。
【００８７】
続いて、図１３のステップＳ１１では、タッチ操作がされたか否かを判断する。つまり、タッチフラグ３４０がオンとなり、タッチバッファ３３０に格納されているタッチ座標が更新されたかが判断される。ステップＳ１１で“ＮＯ”であれば、たとえばタッチ操作が行われなければ、ステップＳ１１の処理が繰り返される。また、ステップＳ１１で“ＹＥＳ”であれば、つまりタッチ操作がされると、プロセッサ３０はステップＳ１３で、ロックオブジェクトＯｂがタッチされているか否かを判断する。つまり、ＧＵＩ座標データ３３６からロックオブジェクトＯｂの座標範囲を読み出し、タッチバッファ３３０に格納されている現在のタッチ位置を示すタッチ座標がその座標範囲に含まれているかを判断する。
【００８８】
ステップＳ１３で“ＮＯ”であれば、つまりロックオブジェクトＯｂに対してタッチ操作がされていなければ、プロセッサ３０はステップＳ１５で、スクロール操作か否かを判断する。つまり、ＧＵＩ座標データ３３６に含まれるスクロールバーＢの座標範囲に、タッチバッファ３３０に格納されている現在のタッチ位置を示すタッチ座標が含まれている状態で、スクロール方向（本実施例では、上下方向）にスライドするタッチ操作がされたかが判断される。
【００８９】
ステップＳ１５で“ＮＯ”であれば、つまりスクロール操作がされていなければ、ステップＳ１１に戻る。また、ステップＳ１５で“ＹＥＳ”であれば、つまりスクロール操作がされると、プロセッサ３０はステップＳ１７で通知情報の表示を更新し、ステップＳ１１に戻る。たとえば、図８（Ａ）に示すように、スクロールバーＢを下に移動させるスクロール操作がされると、表示されていない通知情報を通知テーブルデータ３３８から読み出し、図８（Ｂ）に示すように更新する。
【００９０】
ロックオブジェクトＯｂにタッチされ、ステップＳ１３で“ＹＥＳ”と判断されると、プロセッサ３０はステップＳ１９で、タッチ位置が通知領域の中か否かを判断する。つまり、通知領域７２の座標範囲をＧＵＩ座標データ３３６から読み出し、タッチバッファ３３０に格納されている現在のタッチ位置を示すタッチ座標がその座標範囲に含まれているかを判断する。ステップＳ１９で“ＮＯ”であれば、つまりタッチ位置が通知領域７２の中に含まれていなければ、ステップＳ３５に進む。
【００９１】
ステップＳ１９で“ＹＥＳ”であれば、たとえば図９（Ｂ）に示すように、現在のタッチ位置が通知情報Ｎ３を表示する通知領域７２に含まれていれば、プロセッサ３０はステップＳ２１で時間の計測を開始する。つまり、操作カウンタ３４４によって時間の計測が開始される。続いて、プロセッサ３０はステップＳ２３で、所定時間が経過したか否かを判断する。つまり、操作カウンタ３４４によって所定時間が計測されたかが判断される。ステップＳ２３で“ＮＯ”であれば、つまり操作カウンタ３４４によって所定時間が計測されていなければ、プロセッサ３０はステップＳ２３の処理を繰り返す。
【００９２】
ステップＳ２３で“ＹＥＳ”であれば、タッチ位置が通知領域７２に入ってから所定時間が経過すると、プロセッサ３０はステップＳ２５で、通知領域７２に追加情報を表示する。図９（Ｂ）に示すように、タッチ位置が通知情報Ｎ３の表示内に含まれていれば、通知テーブルデータ３３８から通知情報Ｎ３に対応する追加情報（「Ｗｈａｔ  ｗｏｕｌｄ…」）を読み出し、その追加情報が通知情報Ｎ３に代えて表示される。なお、ステップＳ
２５の処理を実行するプロセッサ３０は追加情報表示部として機能する。
【００９３】
続いて、ステップＳ２７では、タッチ位置が通知領域７２の外に出たか否かを判断する。つまり、ＧＵＩ座標データ３３６に含まれる通知領域７２の座標範囲に、タッチバッファ３３０に格納されている現在のタッチ位置を示すタッチ座標が含まれていないかが判断される。ステップＳ２７で“ＹＥＳ”であれば、たとえばスライドによってユーザの指が通知領域７２に外に出ると、ステップＳ１９に戻る。また、ステップＳ１９に戻る場合、追加情報の表示が消え、元の通知情報が表示される。
【００９４】
また、ステップＳ２７で“ＮＯ”であれば、たとえば通知領域７２から出ていなければ、プロセッサ３０はステップＳ２９でリリースされたか否かを判断する。つまり、タッチ位置が通知領域７２の中に含まれている状態でリリースされたか否かを判断する。なお、ステップＳ２９の処理を実行するプロセッサ３０は判断部として機能する。
【００９５】
ステップＳ２９で“ＮＯ”であれば、つまりリリースされていなければ、プロセッサ３０はステップＳ２７に戻る。一方、ステップＳ２９で“ＹＥＳ”であれば、つまり通知情報Ｎの表示内でリリースされると、プロセッサ３０は、ステップＳ３１でロックフラグ３４２をオフにし、ステップＳ３３で通知情報Ｎに対応する機能を実行する。そして、ステップＳ３３の処理が終了すれば、プロセッサ３０はロック制御処理を終了する。たとえば、図１０（Ａ），（Ｂ）に示すように、新着メールを通知する通知情報Ｎ３の表示内でリリースされると、ステップＳ３３ではメール機能を実行して、新着メールをディスプレイ１４に表示する。なお、ステップＳ３１，Ｓ３３の処理を実行するプロセッサ３０は実行部として機能する。
【００９６】
ここで、ステップＳ１９で“ＮＯ”であれば、つまりロックオブジェクトＯｂにタッチした後に、タッチ位置が通知領域７２に含まれていなければ、プロセッサ３０はステップＳ３５で、解除操作がされたか否かを判断する。たとえば、ロックオブジェクトＯｂに対して、画面の外へ弾き出すフリックのタッチ操作、またはロックオブジェクトＯｂを所定距離以上動かすスライドのタッチ操作がされたかを判断する。ステップＳ３５で“ＮＯ”であれば、たとえば何も表示されていないところにタッチされると、プロセッサ３０はステップＳ１に戻り、ロック画面を再び表示する。なお、ロックオブジェクトＯｂの移動距離が所定距離未満だったり、フリックの速度が遅かったりしても、ステップＳ５では“ＮＯ”と判断され、再びロック画面が表示されるため、ロックオブジェクトＯｂの表示位置は元の位置に戻る。また、ステップＳ３５で“ＹＥＳ”であれば、つまりロック状態の解除操作がされると、プロセッサ３０は、ステップＳ３７でロックフラグ３４０をオフにし、ステップＳ３９で待機画面を表示して、ロック制御処理を終了する。つまり、解除操作がされると、ロック状態が解除され、ディスプレイ１４の機能表示領域６２には、図４（Ｃ）に示すような待機画面が表示される。
【００９７】
このように、本実施例では、以上の処理が実行されるため、ユーザは、タッチ操作によって所定機能を容易に実行することができる。
【００９８】
なお、本実施例の携帯電話機１０は、メール機能以外にも、ショートメッセージサービス（ＳＭＳ）機能、メッセージの投稿（アップロード）および閲覧を行うための第１ブログ機能およびメッセージの文字数が制限される第２ブログ機能を実行することができる。そして、メール機能、ショートメッセージ機能、第１ブログ機能および第２ブログ機能は、まとめて「メッセージ機能」と呼ばれることがある。
【００９９】
たとえば、ショートメッセージサービス機能によってメッセージを受信した場合、通知テーブルには、通知情報として新着メッセージの受信時刻と発信者名とが記録さると共に
、追加情報として新着メッセージの本文の一部が記録される。また、ディスプレイ１４に表示される新着メッセージの通知情報Ｎには、新着メールの通知情報Ｎ３と同様、受信時刻と発信者名とが含まれる。そして、ロックオブジェクトＯｂにタッチした後に通知情報Ｎにタッチ位置が含まれると新着メッセージの本文の一部が追加情報として表示され、リリースされるとロック状態が解除されると共に、新着メッセージの詳細が表示されるようにショートメッセージ機能が実行される。このように、本実施例では、メール機能やショートメッセージ機能によってメッセージを受信すれば、ロック状態を解除することなく、返信することができる。なお、他の実施例では、ショートメッセージサービス機能の通知情報Ｎには、着信時刻または発信者名のいずれか一方だけが含まれていてもよい。
【０１００】
また、図１４（Ａ）−（Ｃ）を参照して、投稿した記事に対して、新着コメントが投稿されたことを受信すると、通知テーブルには、通知情報として投稿された記事に対する、新着コメントの投稿時間と投稿者名とが記録されると共に、追加情報として新着コメントの一部が記録される。また、第１ブログ機能における新着コメントの通知情報Ｎ４には、投稿時刻(15:25)と投稿者名(XXX)とが含まれる。そして、ロックオブジェクトＯｂにタッチされた後に通知情報Ｎ４の表示内にタッチ位置が移動すると新着コメントの一部(Thank
you!)が表示され、リリースされるとロック状態が解除されると共に、新着コメントが表示されるように第１ブログ機能が実行される。なお、他の実施例では、第１ブログ機能の通知情報Ｎには、投稿時刻または投稿者名のいずれか一方だけが含まれていてもよい。
【０１０１】
さらに、図１５（Ａ）−（Ｃ）を参照して、第２ブログ機能においてコメントが投稿されたことを受信すると、通知テーブルには、通知情報としてコメントの投稿時刻と投稿者名が登録されると共に、コメントの一部が追加情報として記録される。また、第２ブログ機能におけるコメントの通知情報Ｎ５には、投稿時刻(15:30)と投稿者名(Weather News)
とが含まれる。そして、ロックオブジェクトＯｂが通知情報Ｎ５の表示領域内に移動されるとコメントの一部(Today’s weather)が表示され、ロックオブジェクトＯｂから指がリリースされるとロック状態が解除されると共に、投稿されたコメントが表示されるよう、第２ブログ機能が実行される。なお、他の実施例では、第２ブログ機能の通知情報Ｎには、投稿時刻または投稿者名のいずれか一方だけが含まれていてもよい。
【０１０２】
このように、本実施例では、第１ブログ機能または第２ブログ機能を利用したコミュニケーションの利便性を、向上させることができる。そして、ロック画面には、様々な機能の通知情報Ｎを表示することができる。
【０１０３】
＜第２実施例＞
第２実施例では、ロック状態に表示される通知情報Ｎをシークレット表示に切り替える。以下、第２実施例について説明するが、上記のこと以外は、第１実施例と同じであるため、重複した説明は省略する。通知情報Ｎをシークレット表示に切り替えることで、ロック画面に表示される通知情報Ｎのセキュリティ性を向上させることができる。
【０１０４】
図１６（Ａ）−（Ｃ）を参照して、ロックオブジェクトＯｂにタッチされた後、通知領域７２を下から上に超えるタッチ操作（シークレット操作）が行われると、シークレットモードが設定され、各通知情報Ｎがシークレット表示に切り替わる。たとえば、不在着信の通知情報Ｎ２がシークレット表示に切り替わると、相手の名前に代えて、代わりに不在着信の通知であることを示す文字列（たとえば、「Ｍｉｓｓｅｄ  ｃａｌｌ」）が表示される。また、新着メールの通知情報Ｎ３であれば、新着しメールの発信者名が表示されなくなる。
【０１０５】
ただし、シークレットモードでは、ロックオブジェクトＯｂに立ちされた後に、タッチ位置が通知情報Ｎの表示内に入っても追加情報は表示されない。また、リリースされても
、ロック状態が解除されると共に、通知情報Ｎに対応する機能が実行されることもない。
【０１０６】
なお、シークレットモードでシークレット操作が再び行われると、シークレットモードが解除される。また、他の実施例では、シークレットモードでは、通常の解除操作が行われれば、ロック状態が解除されてもよい。また、３つ以上の通知情報が通知テーブルに記録されている場合は、シークレットモードであっても、スクロール操作が有効に処理されてもよい。
【０１０７】
図１７は第２実施例のロック制御処理の一部のフロー図である。なお、図１７のフロー図において、第１実施例と同じステップについては図示を省略する。
【０１０８】
ロック制御処理のステップＳ１９で“ＮＯ”と判断されると、プロセッサ３０はステップＳ５１で、シークレット操作か否かを判断する。つまり、図１６（Ａ），（Ｂ）に示すようなシークレット操作がされたかが判断される。ステップＳ５１で“ＮＯ”であれば、つまりシークレット操作がされていなければ、ステップＳ３５に進む。一方、ステップＳ５１で“ＹＥＳ”であれば、つまりシークレット操作がされると、プロセッサ３０はステップＳ５３で、通知情報をシークレット表示に切り替える。たとえば、図１６（Ｃ）に示すように、相手の名前が通知情報Ｎに含まれないようにする。続いて、ステップＳ５５では、シークレットの解除操作か否かを判断する。たとえば、再びシークレット操作がされたかが判断される。ステップＳ５５で“ＮＯ”であれば、つまりシークレットの解除操作がされなければ、プロセッサ３０はステップＳ５５の処理を繰り返す。
【０１０９】
一方、ステップＳ５５で“ＹＥＳ”であれば、つまりシークレットの解除操作がされると、プロセッサ３０はステップＳ５７で通知情報を通常表示に切り替えて、ステップＳ１１に戻る。たとえば、図１６（Ｃ）のようにシークレット表示された通知情報Ｎ２，Ｎ３が、図１６（Ａ）の状態に戻る。
【０１１０】
＜第３実施例＞
第３実施例では、ロック画面に表示されている複数の通知情報Ｎを、カテゴリ別に分類して表示する。以下、第３実施例について説明するが、上記のこと以外は、第１実施例と同じであるため、重複した説明は省略する。複数の通知情報Ｎをカテゴリ別に分けて表示することで、ユーザは必要な通知情報Ｎを容易に見つけることができるようになる。
【０１１１】
図１８（Ａ）−（Ｃ）を参照して、第３実施例のロック画面には、日時表示７０および複数の通知情報Ｎに加えて、複数のカテゴリアイコンＣが表示される。複数のカテゴリアイコンＣには、全カテゴリアイコンＣａ、電話カテゴリアイコンＣｂ、メールカテゴリアイコンＣｃ、ショートメッセージカテゴリアイコンＣｄ、第１ブログカテゴリアイコンＣｅおよび第２ブログカテゴリアイコンＣｆが含まれる。そして、ユーザは任意のカテゴリアイコンＣにタッチ操作を行うことで、複数の通知情報Ｎを、任意のカテゴリアイコンＣに対応するカテゴリに分類して、表示することができる。
【０１１２】
ただし、初期状態では、全ての通知情報Ｎが表示されているため、全カテゴリアイコンＣａが選択されている状態になる。
【０１１３】
たとえば、図１８（Ｂ），（Ｃ）に示すように、電話カテゴリアイコンＣｂに対してタッチ操作がされると、通知テーブルから電話機能に対応する不在着信および留守番電話の通知情報が抽出され、通知情報Ｎ１，Ｎ２が通知領域７２に表示される。また、電話カテゴリアイコンＣｂに対してタッチ操作がされると、電話カテゴリアイコンＣｂの表示が反転する。つまり、複数の通知情報が電話機能に対応して分類されていることが分かる。
【０１１４】
図１９は第３実施例のロック制御処理の一部のフロー図である。ただし、図１９のフロー図において、第１実施例と同じステップについては図示を省略する。
【０１１５】
ロック制御処理のステップＳ１５で“ＮＯ”であれば、つまりスクロール操作がされていなければ、プロセッサ３０はステップＳ６１で、カテゴリアイコンＣにタッチ操作がされたか否かを判断する。たとえば、図１８（Ｂ）に示すように、カテゴリアイコンＣに対してタッチ操作がされたかが判断される。ステップＳ６１で“ＮＯ”であれば、つまりカテゴリアイコンＣに対してタッチ操作がされていなければ、ステップＳ１１に戻る。一方、ステップＳ６１で“ＹＥＳ”であれば、たとえば電話カテゴリアイコンＣｂに対してタッチ操作がされると、プロセッサ３０はステップＳ６３で、通知情報Ｎをカテゴリ別に表示し、ステップＳ１１に戻る。つまり、電話カテゴリアイコンＣｂにタッチ操作がされた場合、通知テーブルから不在着信および留守番電話の通知情報が抽出され、抽出された通知情報が通知領域７２に表示される。
【０１１６】
なお、第３実施例では、ロックオブジェクトＯｂにタッチされた後に、機能に対応するカテゴリアイコンＣがロックオブジェクトＯｂによって選択された後にリリースされると、ロック状態が解除されると共に、選択されたカテゴリアイコンＣに対応する機能が実行されてもよい。
【０１１７】
＜第４実施例＞
第４実施例では、通知領域７２に表示される通知情報Ｎに代えて、通知情報としてタスクアイコンＴａがディスプレイ１４に表示される。以下、第４実施例について説明するが、上記のこと以外は、第１実施例と同じであるため、重複した説明は省略する。
【０１１８】
図２０（Ａ）を参照して、メール機能のタスクアイコンＴａがディスプレイ１４に表示される。このタスクアイコンＴａは、たとえば携帯電話機１０が新着メールを受信すると、状態表示領域６０に表示される。そして、図２０（Ｂ），（Ｃ）を参照して、ロック状態が設定されているときに、ユーザがロックオブジェクトＯｂにタッチ操作を行い、そのロックオブジェクトＯｂによってメール機能のタスクアイコンＴａを選択した後に指をリリースすれば、新着メールを含む受信メールの一覧が機能表示領域６２に表示される。このように、ユーザは、従来の携帯電話機でも利用されているタスクアイコンＴａを利用して、ロック状態を解除すると共に、そのタスクアイコンＴａに関する機能を実行することができる。
【０１１９】
また、図２０（Ｂ）に示すように、ロックオブジェクトＯｂによってタスクアイコンＴａを選択すると、タスクアイコンＴａが選択されていることを明確にするために、タスクアイコンＴａの表示が拡大される。
【０１２０】
また、他の実施例では、電話機能の不在着信を示すタスクアイコンＴａなどが、状態表示領域６０に表示されてもよい。たとえば、電話機能の不在着信に対応するタスクアイコンＴａに対して上述の操作がされ、電話機能が実行されると、不在着信を含む着信履歴が機能表示領域６２に表示される。
【０１２１】
なお、第１実施例から第４実施例は、任意に組み合わせることが可能であり、具体的な組み合わせについては容易に想像できるので、詳細な説明は省略する。
【０１２２】
また、他の実施例では、ロック状態の解除操作がされるとパスワードの入力を求めるセキュリティ画面が表示される、セキュリティ設定がされていてもよい。たとえば、ロックオブジェクトＯｂに対して解除操作がされると、ディスプレイ１４には、図２１に示すセキュリティ画面が表示される。そして、セキュリティ画面で正しいパスワードが入力され
ると、図４（Ｃ）に示す待機画面がディスプレイ１４に表示される。ただし、誤ったパスワードが入力された場合は、パスワードの再入力が求められる。
【０１２３】
図２２を参照して、セキュリティ設定がされている場合、ロック制御処理のステップＳ３７でロックフラグ３４２がオフにされると、ステップＳ７１でプロセッサ３０は、セキュリティ設定がされているか否かを判断する。つまり、セキュリティ設定に対応するフラグがオンであるかが判断される。ステップＳ７１で“ＮＯ”であれば、つまりセキュリティ設定がされていなければ、プロセッサ３０はステップＳ３９に進み、待機画面を表示する。一方、ステップＳ７１で“ＹＥＳ”であれば、つまりセキュリティ設定がされている場合、プロセッサ３０は、ステップＳ７３でセキュリティ画面を表示し、ステップＳ７５でパスワードが正しいか否かを判断する。つまり、図２１に示すセキュリティ画面がディスプレイ１４に表示され、その画面で入力されたパスワードが正しいかが判断される。ステップＳ７５で“ＮＯ”であれば、つまり入力されたパスワードが誤っていれば、プロセッサ３０はステップＳ７３に戻る。一方、ステップＳ７５で“ＹＥＳ”であれば、つまり入力されたパスワードが正しければ、プロセッサ３０はステップＳ３９で待機画面を表示する。そして、セキュリティ設定がされている場合、通知情報Ｎの表示領域内にロックオブジェクトＯｂが含まれている状態でリリースされた後にも、上述のセキュリティ画面が表示される。そのため、他の実施例のロック制御処理では、ステップＳ３１とステップＳ３３との間にも、ステップＳ７１−Ｓ７５と同様のステップが追加される。
【０１２４】
また、その他の実施例では、通知情報Ｎは、ユーザが携帯電話機１０に操作を行ったときに表示されてもよい。たとえば、ディスプレイ１４の電源をオンにする操作がされたとき、通知テーブルに通知情報が記録されていても、この時点では、ディスプレイ１４には通知情報Ｎが表示されない。そして、ユーザがメニューキー２６を操作すれば、通知テーブル記録されている通知情報が、ディスプレイ１４に表示される。
【０１２５】
また、ロックオブジェクトＯｂによって通知情報Ｎの表示内容が隠れないようにするために、通知情報Ｎの表示領域内に移動したロックオブジェクトＯｂは縮小されてもよい。また、通知情報Ｎの表示領域内にロックオブジェクトＯｂが移動すれば、その通知情報Ｎが、拡大表示されてもよい。
【０１２６】
また、ロックオブジェクトＯｂに対してタッチ操作が行われているときに電話着信が発生すると、ロックオブジェクトＯｂの表示が消去されると共に、電話着信応答画面が表示される。この電話着信応答画面には、ロック状態を解除すると共に、電話着信に応答するための着信応答オブジェクトが含まれる。そして、着信応答オブジェクトに対して、ロックオブジェクトＯｂに対する解除操作と同様の操作が行われると、通話が開始される。
【０１２７】
また、通知情報を記録する機能には、音楽プレーヤ機能などが含まれていてもよい。たとえば、音楽プレーヤ機能の通知情報は、ロック状態で再生されている音楽の曲名や再生時間などを含み、追加情報はアーティスト情報、ジャケット画像などを含む。
【０１２８】
また、他の実施例では、Ｆａｃｅｂｏｏｋ（登録商標）やＭｉｘｉ（登録商標）などのＳＮＳ(Social Network Service)に対応する機能が、通知情報を記録する機能に含まれていてもよい。そして、この場合、上記機能の通知情報として、上述した第１ブログ機能および第２ブログ機能に対応する通知情報Ｎがロック画面に表示される。
【０１２９】
また、本実施例で用いられたプログラムは、データ配信用のサーバのＨＤＤに記憶され、ネットワークを介して携帯電話機１０に配信されてもよい。また、ＣＤ，ＤＶＤ，ＢＤ（Blue-Ray Disk）などの光学ディスク、ＵＳＢメモリおよびメモリカードなどの記憶媒
体に複数のプログラムを記憶させた状態で、その記憶媒体が販売または配布されてもよい
。そして、上記したサーバや記憶媒体などを通じてダウンロードされた、プログラムが本実施例と同等の構成の携帯端末にインストールされた場合、本実施例と同等の効果が得られる。
【０１３０】
そして、本明細書中で挙げた、具体的な数値は、いずれも単なる一例であり、製品の仕様変更などに応じて適宜変更可能である。
【符号の説明】
【０１３１】
１０    …  携帯電話機
１４    …  ディスプレイ
１６    …  タッチパネル
３０    …  プロセッサ
４０    …  入力装置
４４    …  フラッシュメモリ
４６    …  ＲＡＭ
【図１】
2015144492.tif 000003
【図２】
2015144492.tif 000004
【図３】
2015144492.tif 000005
【図４】
2015144492.tif 000006
【図５】
2015144492.tif 000007
【図６】
2015144492.tif 000008
【図７】
2015144492.tif 000009
【図８】
2015144492.tif 000010
【図９】
2015144492.tif 000011
【図１０】
2015144492.tif 000012
【図１１】
2015144492.tif 000013
【図１２】
2015144492.tif 000014
【図１３】
2015144492.tif 000015
【図１４】
2015144492.tif 000016
【図１５】
2015144492.tif 000017
【図１６】
2015144492.tif 000018
【図１７】
2015144492.tif 000019
【図１８】
2015144492.tif 000020
【図１９】
2015144492.tif 000021
【図２０】
2015144492.tif 000022
【図２１】
2015144492.tif 000023
【図２２】
2015144492.tif 000024
【手続補正書】
【提出日】平成27年5月19日(2015.5.19)
【手続補正１】
【補正対象書類名】明細書
【補正対象項目名】０００７
【補正方法】変更
【補正の内容】
【０００７】
第１の発明は、表示部、表示部に設けられるタッチパネルおよびタッチパネルに対するタッチ操作を検出する検出部を有し、所定の処理の実行を制限するロック状態が設定できる、携帯端末であって、所定機能に関する通知情報を記憶する記憶部、ロック状態が設定されているとき、通知情報を表示部の表示領域に表示する表示処理部、通知情報を表示する表示領域にタッチ位置を移動させてリリースするタッチ操作が検出されたかを判断する判断部、および通知情報を表示する表示領域にタッチ位置を移動させてリリースするタッチ操作が検出されたと判断されたとき、ロック状態を解除すると共に、その通知情報に関する機能を実行する実行部を備える、携帯端末である。
【手続補正２】
【補正対象書類名】明細書
【補正対象項目名】０００８
【補正方法】変更
【補正の内容】
【０００８】
第１の発明では、携帯端末（１０：実施例において対応する部分を例示する参照符号。以下、同じ。）は、表示部（１４）に設けられたタッチパネル（１６）およびタッチ操作を検出する検出部（４８）を有する。また、ロック状態が設定されると、所定の処理が実行されないようになる。記憶部（４６）は、たとえばメール機能によって受信した新着メールを通知するための通知情報を記憶する。表示処理部（３０，Ｓ５）は、たとえばロック状態が設定されているときに表示部の電源がオンにされると、上述したメール機能の通知情報（Ｎ，Ｔａ）を表示する。判断部（３０，Ｓ２９）は、通知情報を表示する表示領域にタッチ位置を移動させてリリースするタッチ操作が検出されたかを判断する。そして、実行部（３０，Ｓ３１，Ｓ３３）は、このようなタッチ操作が行われると、ロック状態を解除すると共に、リリースされた表示領域に表示されている通知情報に関連する機能を実行する。
【手続補正３】
【補正対象書類名】明細書
【補正対象項目名】００１０
【補正方法】変更
【補正の内容】
【００１０】
第２の発明は、第１の発明に従属し、通知情報を表示する表示領域にタッチ位置を移動させるタッチ操作が検出されたとき、その通知情報に対応する追加情報を表示する追加情報表示部をさらに備える。
【手続補正４】
【補正対象書類名】明細書
【補正対象項目名】００１６
【補正方法】変更
【補正の内容】
【００１６】
第５の発明は、第３の発明または第４の発明に従属し、メッセージ機能は、ショートメッセージサービス機能を含み、ショートメッセージサービス機能に対応する通知情報は、少なくとも、新着メッセージの着信時刻または発信者名のいずれか一方を含み、ショートメッセージサービス機能に対応する通知情報の追加情報は、新着メッセージの本文の少なくとも一部を含み、実行部は、新着メッセージが返信可能に表示されるよう、ショートメッセージサービス機能を実行する。
【手続補正５】
【補正対象書類名】明細書
【補正対象項目名】００１７
【補正方法】変更
【補正の内容】
【００１７】
第３の発明、第４の発明および第５の発明によれば、メール機能やショートメッセージサービス機能によってメッセージを受信すれば、ロック状態を解除することなく、返信することができる。
【手続補正６】
【補正対象書類名】明細書
【補正対象項目名】００２２
【補正方法】変更
【補正の内容】
【００２２】
第８の発明は、表示部（１４）、表示部に設けられるタッチパネル（１６）、タッチパネルに対するタッチ操作を検出する検出部（４８）および所定機能に関する通知情報を記憶する記憶部（４６）を有し、所定の処理の実行を制限するロック状態が設定できる、携帯端末（１０）のプロセッサ（３０）を、ロック状態が設定されているとき、通知情報（Ｎ，Ｔａ）を表示部の表示領域に表示する表示処理部（Ｓ５）、通知情報を表示する表示領域にタッチ位置を移動させてリリースするタッチ操作が検出されたかを判断する判断部（Ｓ２９）、および通知情報を表示する表示領域にタッチ位置を移動させてリリースするタッチ操作が検出されたと判断されたとき、ロック状態を解除すると共に、その通知情報に関する機能を実行する実行部（Ｓ３１，Ｓ３３）として機能させる、ロック制御プログラムである。
【手続補正７】
【補正対象書類名】明細書
【補正対象項目名】００２４
【補正方法】変更
【補正の内容】
【００２４】
第９の発明は、表示部（１４）、表示部に設けられるタッチパネル（１６）、タッチパネルに対するタッチ操作を検出する検出部（４８）および所定機能に関する通知情報を記憶する記憶部（４６）を有し、所定の処理の実行を制限するロック状態が設定できる、携帯端末（１０）におけるロック制御方法であって、携帯端末のプロセッサが、ロック状態が設定されているとき、通知情報（Ｎ，Ｔａ）を表示部の表示領域に表示する表示処理ステップ（Ｓ５）、通知情報を表示する表示領域にタッチ位置を移動させてリリースするタッチ操作が検出されたかを判断する判断ステップ（Ｓ２９）、および通知情報を表示する表示領域にタッチ位置を移動させてリリースするタッチ操作が検出されたと判断されたとき、ロック状態を解除すると共に、その通知情報に関する機能を実行する実行ステップ（Ｓ３１，Ｓ３３）を実行する、ロック制御方法である。
【手続補正８】
【補正対象書類名】明細書
【補正対象項目名】００２５
【補正方法】変更
【補正の内容】
【００２５】
第９の発明でも、第１の発明と同様、ユーザは、ロック画面に表示される通知情報を確認したときに、必要であればロック状態を解除すると共に、その通知情報に対応する機能を実行することができる。
第１０の発明は、表示部、表示部に設けられるタッチパネルおよびタッチパネルに対するタッチ操作を検出する検出部を有し、所定の処理の実行を制限するロック状態が設定できる、携帯端末であって、所定機能に関する通知情報を記憶する記憶部、ロック状態が設定されているとき、通知情報を表示部の表示領域に表示する表示処理部、通知情報を表示する表示領域にタッチ位置を移動させるタッチ操作が検出されたとき、その通知情報に対応する追加情報を表示する追加情報表示部、通知情報を表示する表示領域にタッチ位置を移動させてリリースするタッチ操作が検出されたかを判断する判断部、および通知情報を表示する表示領域にタッチ位置を移動させてリリースするタッチ操作が検出されたと判断されたとき、ロック状態を解除すると共に、その通知情報に関する機能を実行する実行部を備える、携帯端末である。
【手続補正９】
【補正対象書類名】特許請求の範囲
【補正対象項目名】全文
【補正方法】変更
【補正の内容】
【特許請求の範囲】
【請求項１】
表示部、前記表示部に設けられるタッチパネルおよび前記タッチパネルに対するタッチ操作を検出する検出部を有し、所定の処理の実行を制限するロック状態が設定できる、携帯端末であって、
所定機能に関する通知情報を記憶する記憶部、
前記ロック状態が設定されているとき、前記通知情報を前記表示部の表示領域に表示する表示処理部、
前記通知情報を表示する表示領域にタッチ位置を移動させてリリースするタッチ操作が検出されたかを判断する判断部、および
前記通知情報を表示する表示領域にタッチ位置を移動させてリリースするタッチ操作が検出されたと判断されたとき、前記ロック状態を解除すると共に、その通知情報に関する機能を実行する実行部を備える、携帯端末。
【請求項２】
前記通知情報を表示する表示領域にタッチ位置を移動させるタッチ操作が検出されたとき、その通知情報に対応する追加情報を表示する追加情報表示部をさらに備える、請求項１記載の携帯端末。
【請求項３】
前記所定機能は、メッセージの送受信および閲覧を行うメッセージ機能を含み、
前記メッセージ機能に対応する通知情報は、少なくとも、前記メッセージ機能によってメッセージが発信された時刻または発信者名のいずれか一方を含み、
前記メッセージ機能に対応する通知情報の追加情報は、前記メッセージの本文の少なくとも一部を含み、
前記実行部は、前記メッセージの詳細が前記表示部に表示されるよう、前記メッセージ機能を実行する、請求項２記載の携帯端末。
【請求項４】
前記メッセージ機能は、メール機能を含み、
前記メール機能に対応する通知情報は、少なくとも、新着メールの受信時刻または発信者名のいずれか一方を含み、
前記メール機能に対応する通知情報の追加情報は、前記新着メールの本文の少なくとも一部を含み、
前記実行部は、前記新着メールが返信可能に表示されるよう、前記メール機能を実行する、請求項３記載の携帯端末。
【請求項５】
前記メッセージ機能は、ショートメッセージサービス機能を含み、
前記ショートメッセージサービス機能に対応する通知情報は、少なくとも、新着メッセージの着信時刻または発信者名のいずれか一方を含み、
前記ショートメッセージサービス機能に対応する通知情報の追加情報は、新着メッセージの本文の少なくとも一部を含み、
前記実行部は、前記新着メッセージが返信可能に表示されるよう、前記ショートメッセージサービス機能を実行する、請求項３または４記載の携帯端末。
【請求項６】
前記メッセージ機能は、ブログ機能を含み、
前記ブログ機能に対応する通知情報は、少なくとも、前記ブログ機能によって投稿した記事に対する新着コメントの投稿時刻または投稿者名のいずれか一方を含み、
前記ブログ機能に対応する通知情報の追加情報は、前記新着コメントの少なくとも一部を含み、
前記実行部は、前記新着コメントが表示されるよう、前記ブログ機能を実行する、請求項３ないし５のいずれかに記載の携帯端末。
【請求項７】
前記所定機能は、電話機能を含み、
前記電話機能に対応する通知情報は、不在着信の着信情報を含み、
前記電話機能に対応する通知情報の追加情報は、不在着信の電話番号を含み、
前記実行部は、前記電話番号に対して発信可能な状態で前記電話機能を実行する、請求項２ないし６のいずれかに記載の携帯端末。
【請求項８】
表示部、前記表示部に設けられるタッチパネル、前記タッチパネルに対するタッチ操作を検出する検出部および所定機能に関する通知情報を記憶する記憶部を有し、所定の処理の実行を制限するロック状態が設定できる、携帯端末のプロセッサを、
前記ロック状態が設定されているとき、前記通知情報を前記表示部の表示領域に表示する表示処理部、
前記通知情報を表示する表示領域にタッチ位置を移動させてリリースするタッチ操作が検出されたかを判断する判断部、および
前記通知情報を表示する表示領域にタッチ位置を移動させてリリースするタッチ操作が検出されたと判断されたとき、前記ロック状態を解除すると共に、その通知情報に関する機能を実行する実行部として機能させる、ロック制御プログラム。
【請求項９】
表示部、前記表示部に設けられるタッチパネル、前記タッチパネルに対するタッチ操作を検出する検出部および所定機能に関する通知情報を記憶する記憶部を有し、所定の処理の実行を制限するロック状態が設定できる、携帯端末におけるロック制御方法であって、前記携帯端末のプロセッサが、
前記ロック状態が設定されているとき、前記通知情報を前記表示部の表示領域に表示する表示処理ステップ、
前記通知情報を表示する表示領域にタッチ位置を移動させてリリースするタッチ操作が検出されたかを判断する判断ステップ、および
前記通知情報を表示する表示領域にタッチ位置を移動させてリリースするタッチ操作が検出されたと判断されたとき、前記ロック状態を解除すると共に、その通知情報に関する機能を実行する実行ステップを実行する、ロック制御方法。
【請求項１０】
表示部、前記表示部に設けられるタッチパネルおよび前記タッチパネルに対するタッチ操作を検出する検出部を有し、所定の処理の実行を制限するロック状態が設定できる、携帯端末であって、
所定機能に関する通知情報を記憶する記憶部、
前記ロック状態が設定されているとき、前記通知情報を前記表示部の表示領域に表示する表示処理部、
前記通知情報を表示する表示領域にタッチ位置を移動させるタッチ操作が検出されたとき、その通知情報に対応する追加情報を表示する追加情報表示部、
前記通知情報を表示する表示領域にタッチ位置を移動させてリリースするタッチ操作が検出されたかを判断する判断部、および
前記通知情報を表示する表示領域にタッチ位置を移動させてリリースするタッチ操作が検出されたと判断されたとき、前記ロック状態を解除すると共に、その通知情報に関する機能を実行する実行部を備える、携帯端末。